(57)【要約】【課題】事前の画像データの準備などの手間をかけることなく、本来の線幅よりも幅広に印刷される印刷不良の検知精度の向上を図る。【解決手段】本発明の検査装置は、印刷画像データに応じて印刷された印刷物における印刷不良の有無を検査する検査装置であって、印刷物に印刷された印刷画像を撮影する撮影部と、撮影部の撮影画像内の、検査の対象とする画像である検査対象画像の画素を、検査対象画像に対応する、印刷画像データに示される画像内の画像である正規画像に相当する画素分だけ消去する画像処理を行う画像処理部と、画像処理後の検査対象画像の面積を測定し、該測定した面積が所定の閾値以上である場合には、印刷物に印刷不良があると判定する判定部と、を有する。【選択図】図２
2015125040.tif 000002
【特許請求の範囲】
【請求項１】
印刷画像データに応じて印刷された印刷物における印刷不良の有無を検査する検査装置であって、
前記印刷物に印刷された印刷画像を撮影する撮影部と、
前記撮影部の撮影画像内の、検査の対象とする画像である検査対象画像の画素を、前記検査対象画像に対応する、前記印刷画像データに示される画像内の画像である正規画像に相当する画素分だけ消去する画像処理を行う画像処理部と、
前記画像処理後の前記検査対象画像の面積を測定し、該測定した面積が所定の閾値以上である場合には、前記印刷物に印刷不良があると判定する判定部と、を有することを特徴とする検査装置。
【請求項２】
請求項１記載の検査装置において、
前記画像処理部は、前記画像処理として、前記検査対象画像の線幅を所定幅だけ縮めるように前記検査対象画像の画素を消去する収縮処理を行うことを特徴とする検査装置。
【請求項３】
請求項２記載の検査装置において、
前記画像処理部は、線幅が略一様な画像が前記正規画像となるように、前記検査対象画像を設定し、前記正規画像の線幅に対応する幅だけ、前記検査対象画像の線幅を縮めることを特徴とする検査装置。
【請求項４】
請求項３記載の検査装置において、
前記画像処理部は、前記収縮処理の処理条件を設定する旨が入力され、前記撮影部により所定の線幅の線幅測定用パターンが印刷された印刷物が撮影されると、該撮影画像内の前記線幅測定用パターンの線幅を測定し、前記線幅測定用パターンの線幅に対する前記測定した線幅の変化率を算出し、前記正規画像の線幅と、前記算出した変化率とに基づいて算出した幅だけ、前記検査対象画像の線幅を縮めることを特徴とする検査装置。
【請求項５】
請求項１記載の検査装置において、
前記画像処理部は、前記印刷画像データに基づいて前記正規画像の画素数を求め、該求めた画素数に、前記正規画像の解像度と前記検査対象画像の解像度との比を乗じた画素数だけ、前記検査対象画像の画素を消去することを特徴とする検査装置。
【請求項６】
印刷画像データに応じて印刷された印刷物における印刷不良の有無を検査する検査方法であって、
前記印刷物に印刷された印刷画像を撮影する工程と、
前記撮影画像内の、検査の対象とする画像である検査対象画像の画素を、前記検査対象画像に対応する、前記印刷画像データに示される画像内の画像である正規画像に相当する画素分だけ消去する画像処理を行う画像処理工程と、
前記画像処理後の前記検査対象画像の面積を測定し、該測定した面積が所定の閾値以上である場合には、前記印刷物に印刷不良があると判定する工程と、を有することを特徴とする検査方法。
【請求項７】
請求項６記載の検査方法において、
前記画像処理工程では、前記検査対象画像の線幅を所定幅だけ縮めるように前記検査対象画像の画素を消去する収縮処理を行うことを特徴とする検査方法。
【請求項８】
請求項７記載の検査方法において、
前記画像処理工程では、線幅が略一様な画像が前記正規画像となるように、前記検査対象画像を設定し、前記正規画像の線幅に対応する幅だけ、前記検査対象画像の線幅を縮めることを特徴とする検査方法
【請求項９】
請求項８記載の検査方法において、
前記画像処理工程は、所定の線幅の線幅測定用パターンが印刷された印刷物が撮影する工程と、該撮影画像内の前記線幅測定用パターンの線幅を測定する工程と、前記線幅測定用パターンの線幅に対する前記測定した線幅の変化率を算出する工程と、前記正規画像の線幅と、前記算出した変化率とに基づいて算出した幅だけ、前記検査対象画像の線幅を縮めるように前記収縮処理の処理条件を設定する工程と、を含むことを特徴とする検査方法。
【請求項１０】
請求項６記載の検査方法において、
前記画像処理工程では、前記印刷画像データに基づいて前記正規画像の画素数を求め、該求めた画素数に、前記正規画像の解像度と前記検査対象画像の解像度との比を乗じた画素数だけ、前記検査対象画像の画素を消去することを特徴とする検査方法。
【発明の詳細な説明】
【技術分野】
【０００１】
本発明は、印刷不良の有無を検査する検査装置および検査方法に関する。
【背景技術】
【０００２】
近年、印刷技術の進歩により微細な画像の印刷（記録）が可能となっている。しかし、印刷物には、記録方式や記録媒体によって、滲みやかすれなどの様々な印刷不良が生じることがある。そこで、印刷後に、印刷不良の有無を検査する検査工程が行われることがある。
【０００３】
印刷不良の有無の検査方法としては、例えば、ＯＣＲ（Ｏｐｔｉｃａｌ  Ｃｈａｒａｃｔｅｒ  Ｒｅａｄｅｒ）などで用いられているように、予め記憶された画像データを利用する方法がある。
【０００４】
上述した方法では、印刷対象の画像が印刷された印刷物を光学的に読み取ることで生成された画像（読み取り画像）の画像データと、予め記憶された、その印刷対象の画像が不良なく印刷された画像（以下、基準画像と称する）の画像データとの照合が行われる。滲みやかすれなどによる特異点が抽出され、照合結果が不一致であると判定されると、印刷不良があると判定される。
【０００５】
また、特許文献１（特開２０１１−５５４８８号公報）には、基準画像の画像データを用いることなく、滲みやかすれによる特異点を抽出する方法が開示されている。具体的には、原稿をスキャナにより読み取った読み取り画像をプリンタにて印刷する画像処理システムにおいて、原稿に含まれる滲みやかすれによる特異点を、読み取り画像から抽出する方法が開示されている。
【０００６】
特許文献１に開示されている方法では、読み取り画像に含まれる文字画像を全体的に、内部に所定幅だけ縮める収縮処理が行われる。具体的には、対象の文字画像の背景との境界部を１画素ずつ剥ぎ取るように消去していく処理が行われる。次に、収縮処理後の画像に対して線幅を太くする膨張処理が行われ、膨張処理後の画像と元の画像との比較により、特異点が抽出される。
【０００７】
収縮処理により、文字画像の境界部の画素を１画素ずつ剥ぎ取るように消去していくことで、文字画像における滲みやかすれが除去される。そして、収縮処理後の画像に対して膨張処理が行われた画像と元の画像とを比較することで、滲みやかすれによる特異点を抽出することができる。
【先行技術文献】
【特許文献】
【０００８】
【特許文献１】特開２０１１−５５４８８号公報
【発明の概要】
【発明が解決しようとする課題】
【０００９】
基準画像の画像データを用いる方法では、印刷対象の画像毎に、予め基準画像の画像データを用意する必要があり、印刷対象の画像の種類が多い場合には、基準画像の画像データの用意に手間がかかるという問題がある。
【００１０】
また、特許文献１に開示されている方法では、滲みやかすれを除去するために、画像（文字画像）に対して収縮処理が行われる。ここで、印刷された画像に、本来の線幅より幅広に印刷された部分（特異点）が存在する場合、その特異点を除去するためには、収縮処理による線幅の収縮幅を大きくする必要がある。しかし、収縮処理による線幅の収縮幅を大きくし過ぎると、文字画像のうち、本来の線幅より幅広に印刷された部分以外の部分が消えてしまい、膨張処理を行っても、元の文字自体を復元できなくなり、元の画像との比較ができなくなる。
【００１１】
したがって、収縮処理により線幅を縮めるには限度があり、本来の線幅より幅広に印刷された特異点については検出することができないことがある。そのため、特許文献１に開示されている方法では、本来の線幅より幅広に印刷される印刷不良を検知することが難しいという問題がある。
【００１２】
本発明の目的は、事前の画像データの準備などの手間をかけることなく、本来の線幅より幅広に印刷される印刷不良の検知精度の向上を図ることができる検査装置および検査方法を提供することにある。
【課題を解決するための手段】
【００１３】
上記目的を達成するために本発明の検査装置は、
印刷画像データに応じて印刷された印刷物における印刷不良の有無を検査する検査装置であって、
前記印刷物に印刷された印刷画像を撮影する撮影部と、
前記撮影部の撮影画像内の、検査の対象とする画像である検査対象画像の画素を、前記検査対象画像に対応する、前記印刷画像データに示される画像内の画像である正規画像に相当する画素分だけ消去する画像処理を行う画像処理部と、
前記画像処理後の前記検査対象画像の面積を測定し、該測定した面積が所定の閾値以上である場合には、前記印刷物に印刷不良があると判定する判定部と、を有する。
【００１４】
上記目的を達成するために本発明の検査方法は、
印刷画像データに応じて印刷された印刷物における印刷不良の有無を検査する検査方法であって、
前記印刷物に印刷された印刷画像を撮影する工程と、
前記撮影画像内の、検査の対象とする画像である検査対象画像の画素を、前記検査対象画像に対応する、前記印刷画像データに示される画像内の画像である正規画像に相当する画素分だけ消去する画像処理を行う画像処理工程と、
前記画像処理後の前記検査対象画像の面積を測定し、該測定した面積が所定の閾値以上である場合には、前記印刷物に印刷不良があると判定する工程と、を有する。
【００１５】
本発明によれば、印刷画像データに応じて印刷された印刷物を撮影し、撮影画像内の検査対象画像の画素を、検査対象画像に対応する、印刷画像データに示される画像内の画像である正規画像に相当する画素分だけ消去する画像処理を行う。そして、画像処理後の検査対象画像の面積が、所定の閾値以上である場合には、印刷物に印刷不良があると判定する。
【００１６】
検査対象画像が本来の線幅よりも幅広に印刷される印刷不良が生じた場合、検査対象画像の面積は、印刷不良が無い場合と比べて大きくなる。この場合、検査対象画像の画素を、その検査対象画像に対応する正規画像に相当する画素分だけ消去する画像処理を行っても、検査対象画像の画素は残り、検査対象画像は、ある程度の面積を有することになる。
【００１７】
そのため、画像処理後の検査対象画像の面積が所定の閾値以上であれば、印刷不良があると判定することで、本来の線幅よりも幅広に印刷される印刷不良を精度よく検知することができる。また、印刷画像データに基づいて定まる正規画像に相当する画素分だけ、検査対象画像の画素を消去する画像処理を行い、画像処理後の画像に基づいて印刷不良の有無を判定するため、印刷不良の無い印刷物の画像データが不要となる。
【発明の効果】
【００１８】
本発明によれば、事前の画像データの準備などの手間をかけることなく、本来の線幅よりも幅広に印刷された印刷不良の検知精度を上げることができる。
【図面の簡単な説明】
【００１９】
【図１】本発明の第１の実施形態に係る印刷システムの構成を示す図である。
【図２】図１に示す検査装置の構成を示すブロック図である。
【図３】図２に示す検査装置の動作を示すフローチャートである。
【図４】図２に示す画像処理部による収縮処理について説明するための図である。
【図５】図２に示す画像処理部による収縮処理について説明するための図である。
【図６】図２に示す画像処理部による収縮処理について説明するための図である。
【図７】図２に示す画像処理部による収縮処理について説明するための図である。
【図８】本発明の第２の実施形態に係る印刷システムにおける、収縮処理の処理条件の設定時の動作を示すフローチャートである。
【図９】図８に示すステップＳ２１において印刷されるキャリブレーションパターンの一例を示す図である。
【発明を実施するための形態】
【００２０】
以下に、本発明を実施するための形態について図面を参照して説明する。
【００２１】
（第１の実施形態）
図１は、本発明に係る検査装置を含む印刷システム１のシステム構成例を示す図である。
【００２２】
図１に示す印刷システム１は、印刷装置１０と、検査装置２０とを備える。
【００２３】
印刷装置１０は、各種の入力データを処理し、印刷画像データに応じた画像を記録媒体に印刷する。
【００２４】
検査装置２０は、印刷装置１０から印刷物および印刷画像データを受け取り、印刷物における印刷不良の有無を検査する。
【００２５】
次に、検査装置２０の構成について説明する。なお、印刷装置１０の構成および動作は当業者によく知られているため、説明を省略する。
【００２６】
図２は、検査装置２０の構成を示すブロック図である。
【００２７】
図２に示す検査装置２０は、撮影部２１と、画像処理部２２と、判定部２３とを有する。
【００２８】
撮影部２１は、印刷装置１０から受け取った印刷物に印刷された印刷画像を撮影し、撮影画像の画像データ（撮影画像データ）を画像処理部２２に出力する。なお、撮影部２１による撮影時には、コントラストの高い撮影画像が得られるように、照明装置（不図示）により印刷物を照明することが望ましい。
【００２９】
画像処理部２２は、印刷装置１０から受け取った印刷画像データに基づいて、撮影部２１から入力された撮影画像データに対して画像処理を行い、画像処理後の画像データを判定部２３に出力する。なお、画像処理部２２による画像処理については、後述する。
【００３０】
判定部２３は、画像処理部２２から入力された画像処理後の画像データに基づいて、印刷物における印刷不良の有無を判定し、結果を出力する。
【００３１】
次に、本実施形態の検査装置２０の動作について説明する。
【００３２】
図３は、検査装置２０の動作を示すフローチャートである。
【００３３】
撮影部２１は、印刷装置１０から印刷物を受け取ると、その印刷物に印刷された印刷画像を撮影し（ステップＳ１１）、撮影画像データを画像処理部２２に出力する。
【００３４】
画像処理部２２は、印刷画像における特異点を検知するための画像処理として、撮影部２１から入力された撮影画像データに対して収縮処理を行う。
【００３５】
収縮処理とは、背景に対して処理対象画像を全体的に、内部に所定幅だけ縮める処理であり、具体的には、処理対象画像の背景との境界部の画素を１画素ずつ剥ぎ取るように消去していく処理である。収縮処理は、一般的に、ノイズ除去に用いられる。
【００３６】
収縮処理について、図４（ａ）に示す、背景は黒色で印刷され、内部に白抜きで文字「Ｂ」が形成された画像１が撮影された場合を例に挙げて説明する。
【００３７】
収縮処理が行われることで、文字「Ｂ」の背景との境界部の画素が１画素ずつ消去される（背景と同じ黒色の画素に置き換えられる）。その結果、図４（ｂ）に示すように白抜き文字「Ｂ」の線幅が全体的に、内部に一定幅縮まった画像２が得られる。収縮処理が行われることで、例えば、本来の線幅よりも狭く印刷された特異点が存在する場合にも、画像２ではその特異点を消すことができる。
【００３８】
画像処理部２２は、撮影画像データに示される撮影画像内に、検査対象とする画像（以下、検査対象画像と称する）を含む検査エリアを設定する。例えば、画像処理部２２は、撮影画像に含まれる文字画像や記号画像それぞれを検査対象画像とし、検査対象画像ごとに検査エリアを設定する。この場合、画像処理部２２は、検査対象画像より大きく、かつ、隣接する検査対象画像と重ならないように検査エリアを設定する。
【００３９】
なお、１つの文字や記号に対して設定される検査エリアは１つに限られるものではない。フォントなどによっては、１つの文字や記号内でも線幅が異なる場合がある。この場合、１つの文字や記号に対して、線幅の異なる部分ごとに検査エリアを設定することが望ましい。
【００４０】
次に、画像処理部２２は、検査エリアに含まれる検査対象画像の画素を、検査対象画像に対応する、印刷画像データに示される画像内の画像（以下、正規画像と称する）に相当する画素分だけ消去する収縮処理を行う（ステップＳ１２）。
【００４１】
画像処理部２２による収縮処理について、図５から図７を参照して、具体的に説明する。
【００４２】
図５（ａ）は、黒色の背景内に、白抜きで文字「Ｂ」が形成された画像を示す印刷画像データに応じて印刷された印刷画像の撮影部２１による撮影画像３を示す図である。以下では、撮影画像３における白抜きの部分を検査対象画像３ａとする。また、検査対象画像３ａには印刷不良が無いものとする。
【００４３】
画像処理部２２は、検査対象画像が印刷不良なく印刷された場合に、検査対象画像の画素が全て収縮処理により消えるように、正規画像に相当する画素分だけ、検査対象画像の画素を消去する。具体的には、画像処理部２２は、正規画像の線幅に対応する撮影画像における線幅の分だけ、検査対象画像の線幅を縮めるように収縮処理を行う。そのため、線幅が略一様な画像が正規画像となるように、検査対象画像を設定することが望ましい。
【００４４】
なお、文字、図形、記号などの違い、また、文字のフォントなどによって、検査対象画像が印刷不良なく印刷された場合に、検査対象画像の画素が収縮処理により全て消える処理条件は異なる。そのため、画像処理部２２は、検査エリアごとに、その検査エリアに含まれる検査対象画像に対する収縮処理の処理条件（線幅を縮める幅）を、その検査対象画像に対応する正規画像の線幅に基づいて、設定する。
【００４５】
このように、正規画像の線幅に応じた収縮処理を行うことで、正規画像の実際の画素数を求めることなく、検査対象画像の画素を、正規画像に相当する画素分だけ、検査対象画像の画素を消去することができる。そのため、画像処理の処理負荷を軽減させることができる。
【００４６】
上述したように、検査対象画像３ａには印刷不良が無いため、収縮処理が行われることにより、図５（ｂ）に示すように、検査対象画像３ａは消える（白抜き文字がなくなる）。
【００４７】
図６(ａ)、図７（ａ）はそれぞれ、図５（ａ）と同じ印刷画像データに応じて印刷された印刷画像の撮影部２１による撮影画像５，７を示す図である。
【００４８】
図６（ａ）に示す撮影画像５においては、白抜きで形成された文字「Ｂ」の一部（上下に延びる直線部分）の線幅が本来よりも太くなる印刷不良が生じている。以下では、撮影画像５における白抜きの部分を検査対象画像５ａとする。
【００４９】
また、図７（ａ）に示す撮影画像７においては、白抜きで形成された文字「Ｂ」の一部の線幅が本来よりも太くなる印刷不良により、文字「Ｂ」自体が潰れてしまっている。以下では、撮影画像７における白抜きの部分を検査対象画像７ａとする。
【００５０】
図６(ａ)、図７（ａ）に示すように、検査対象画像５ａ，７ａに本来の線幅よりも幅広に印刷される印刷不良が生じると、正規画像の線幅に対応する幅の分だけ収縮処理を行っても、処理後の画像６，８では、検査対象画像５ａ，７ａの一部６ａ，８ａが残る。
【００５１】
画像処理部２２は、収縮処理後の画像データを判定部２３に出力する。
【００５２】
判定部２３は、画像処理部２２から出力された画像データに基づいて、収縮処理後の検査対象画像の面積を測定し（ステップＳ１３）、測定した検査対象画像の面積が所定の閾値以上であるか否かを判定する（ステップＳ１４）。
【００５３】
検査対象画像の面積が所定の閾値以上でないと判定した場合には（ステップＳ１４：Ｎｏ）、判定部２３は、印刷不良は無いと判定（ＯＫ判定）し（ステップＳ１５）、処理を終了する。
【００５４】
一方、検査対象画像の面積が所定の閾値以上であると判定した場合には（ステップＳ１４：Ｙｅｓ）、判定部２３は、印刷不良があると判定（ＮＧ判定）し（ステップＳ１６）、所定の警告を発するなどして、処理を終了する。
【００５５】
上述したように、検査対象画像に印刷不良が無い場合、収縮処理により、検査対象画像は消えてしまう。一方、検査対象画像に本来の線幅よりも幅広に印刷される印刷不良が生じると、収縮処理が行われても、検査対象画像は、一部が残り、所定の面積を有することになる。
【００５６】
そのため、収縮処理後の検査対象画像の面積が所定の閾値以上であるか否かにより、本来の線幅よりも幅広に印刷された印刷不良の有無を判定することができる。
【００５７】
なお、上述したように、検査対象画像に印刷不良が無い場合に、検査対象画像の画素が全て消えるように収縮処理が行われる。そのため、印刷不良の有無を判定するための閾値としては、０を設定し、検査対象画像の消え残りの有無を判定するようにすればよい。
【００５８】
しかし、記録媒体や記録方式のばらつきにより、印刷不良が生じていなくても、収縮処理後の検索対象画素の消え残りが多少存在することが考えられる。そこで、印刷不良の有無を判定する閾値としては、上述したばらつきによる消え残りがあったとしても印刷不良があるとは判定されず、かつ、印刷不良が生じた場合には、それを検知することができるような閾値を設定することが望ましい。
【００５９】
このように、本実施形態によれば、検査装置２０は、印刷画像データに応じて印刷が行われた印刷物を撮影し、撮影画像内の検査対象画像の画素を、検査対象画像に対応する正規画像に相当する画素分だけ消去する画像処理を行う。そして、検査装置２０は、画像処理後の検査対象画像の面積が、所定の閾値以上である場合には、印刷物に印刷不良があると判定する。
【００６０】
検査対象画像に本来の線幅よりも幅広に印刷された印刷不良が生じた場合、検査対象画像の画素を、その検査対象画像に対応する正規画像に相当する画素分だけ消去する画像処理を行っても、検査対象画像の画素は残る。したがって、検査対象画像は、ある程度の面積を有することになる。
【００６１】
そのため、検査対象画像の画素を正規画像に相当する画素分だけ消去する画像処理を行い、画像処理後の検査対象画像の面積が所定の閾値以上であれば、印刷不良があると判定することで、本来の線幅よりも幅広に印刷される印刷不良を検知することができる。また、印刷画像データに基づいて収縮処理の処理条件を設定するため、印刷不良なく印刷された印刷物の画像データが不要となり、そのような画像データを用意する手間も不要となる。
【００６２】
なお、本実施形態においては、印刷対象の画像が、黒色の背景の内部に印刷されない部分を設けることで、白抜でき文字が形成された画像である例を用いて説明したがこれに限られるものではない。印刷対象の画像は、白色の背景（印刷されない部分）の内部に、黒色の文字が形成された画像であってもよい。
【００６３】
（第２の実施形態）
第１の実施形態の印刷システムにおいては、印刷画像データに示される正規画像の線幅に基づいて、収縮処理の処理条件を設定していた。一方、本実施形態の印刷システムにおいては、実際に印刷された画像の線幅に基づいて、収縮処理の処理条件を設定する。記録方式や記録媒体によっては、印刷が滲むなどの印刷バラツキあり、印刷画像データに示される線幅と実際に印刷される画像の線幅とに差が生じることがある。この差により、印刷不良が無いにもかかわらず、収縮処理後の検査対象画像の画素が残ってしまうなどして、印刷不良の有無の判定を誤ることがある。
【００６４】
本実施形態によれば、実際に印刷された画像の線幅に基づいて、収縮処理の処理条件を設定することで、印刷不良の有無の判定精度の向上を図ることができる。なお、本実施形態の印刷システムのシステム構成、および、各装置の構成は、第１の実施形態と同様であるため、説明を省略する。
【００６５】
次に、本実施形態の印刷システムにおける、収縮処理の処理条件の設定時の動作について、図８に示すフローチャートを参照して説明する。
【００６６】
印刷装置１０は、線幅測定用パターンである、所定のキャリブレーションパターンを印刷する（ステップＳ２１）。
【００６７】
図９は、ステップＳ２１において印刷されるキャリブレーションパターン３０の一例を示す図である。図９においては、キャリブレーションパターン３０は、所定の線幅の矩形のパターンである例を示している。なお、印刷ばらつきや後述する線幅測定のばらつきを想定して、図９に示すキャリブレーションパターン３０を複数印刷し、格子状のパターンにすることで、線幅を複数個所で測定可能とすることが望ましい。
【００６８】
検査装置２０は、キャリブレーションパターンが印刷された印刷物およびキャリブレーションパターンを示す画像データ（パターン画像データ）を印刷装置１０から受け取る。
【００６９】
撮影部２１は、キャリブレーションパターンが印刷された印刷物を受け取ると、その印刷物を撮影し（ステップＳ２２）、撮影画像の画像データを画像処理部２２に出力する。
【００７０】
画像処理部２２は、収縮処理の処理条件を設定する旨が入力され、撮影部２１からキャリブレーションパターンが印刷された印刷物を撮影した撮影画像が入力されると、その撮影画像におけるキャリブレーションパターンの線幅を測定する（ステップＳ２３）。
【００７１】
具体的には、画像処理部２２は、図９に示すように、キャリブレーションパターン３０に対して、線幅測定エリア３１を設定する。なお、図９においては、キャリブレーションパターン３０の縦線部分に対して線幅測定エリア３１を設定しているが、キャリブレーションパターン３０の横線部分に対して線幅測定エリア３１を設定してもよい。
【００７２】
次に、画像処理部２２は、キャリブレーションパターン３０の縦線部分に対して線幅測定エリア３１を設定している場合には、線幅測定エリア３１を横方向にスキャンし、印刷有無による濃度変化に基づいて、印刷部分の２か所のエッジ３２を検出する。なお、画像処理部２２は、キャリブレーションパターン３０の横線部分に対して線幅測定エリア３１を設定している場合には、線幅測定エリア３１を縦方向にスキャンし、印刷部分の２か所のエッジ３２を検出する。
【００７３】
次に、画像処理部２２は、検出した２か所のエッジ３２間の間隔を測定することで、キャリブレーションパターン３０の線幅を測定する。
【００７４】
なお、キャリブレーションパターンが格子状に印刷されている場合には、複数の箇所の線幅を測定し、測定した線幅の平均値を算出することで、キャリブレーションパターンの線幅の測定精度を上げることができる。
【００７５】
次に、画像処理部２２は、パターン画像データに示されるキャリブレーションパターンの線幅に対して、ステップＳ２３で測定したキャリブレーションパターン３０の線幅がどれだけ変化したかを示す線幅変化率を算出する（ステップＳ２４）。具体的には、画像処理部２２は、ステップＳ２３で測定した線幅をパターン画像データに示されるキャリブレーションパターンの線幅で除算することで、線幅変化率を算出する。
【００７６】
次に、画像処理部２２は、印刷画像データと算出した線幅変化率とに基づいて、検査対象画像に対応する正規画像が印刷される線幅を算出する（ステップＳ２５）。そして、画像処理部２２は、算出した線幅に基づいて、検査対象画像に対する収縮処理の処理条件を設定する（ステップＳ２６）。
【００７７】
このように本実施形態によれば、検査装置２０は、所定の線幅測定用パターンが印刷された印刷物を撮影し、その撮影画像内の線幅測定用パターンの線幅を測定し、線幅測定用パターンの線幅に対する実際に印刷されたパターンの線幅の変化率を算出する。そして、検査装置２０は、検査対象画像に対応する正規画像の線幅と算出した変化率とに基づいて、検査対象画像に対する収縮処理の処理条件を設定する。
【００７８】
そのため、印刷画像データに示される線幅と実際に印刷される画像の線幅とに差が生じる場合にも、印刷不良が無い検査対象画像の画素が収縮処理後にも残ってしまい、印刷不良の有無の判定を誤ってしまう可能性を低減することができる。
【００７９】
なお、上述した実施形態においては、検査対象画像の画素を収縮処理により消去する例を用いて説明したが、これに限られるものではない。例えば、印刷画像データに基づいて正規画像の画素数を求め、その画素数に正規画像の解像度と検査対象画像の解像度との比を乗じた画素数だけ、検査対象画像の画素を消去するようにしてもよい。
【符号の説明】
【００８０】
１    印刷システム
１０    印刷装置
２０    検査装置
２１    撮影部
２２    画像処理部
２３    判定部
【図１】
2015125040.tif 000003
【図２】
2015125040.tif 000004
【図３】
2015125040.tif 000005
【図４】
2015125040.tif 000006
【図５】
2015125040.tif 000007
【図６】
2015125040.tif 000008
【図７】
2015125040.tif 000009
【図８】
2015125040.tif 000010
【図９】
2015125040.tif 000011